(57)【要約】【課題】  ヘンテナアンテナのような指向性を持っているアンテナを簡易且つ確実に支持するためのアンテナ支持具を提供することである。【解決手段】  ボックス状の本体部１１と、この本体部１１に被着される蓋体１２とを備え、前記本体部１１には三脚１８に取り付けるナット１９とヘンテナアンテナ１５のアーム部１６を嵌め入れる凹部１７とが設けられ、前記凹部１７に嵌め入れたアーム部１６の上から本体部１１に蓋体１２を被着することによってヘンテナアンテナ１５を確実に支持する。【選択図】  図１
2006174362.tif 000002
【特許請求の範囲】
【請求項１】
ボックス状の本体部と、この本体部に被着される蓋体とを備え、前記本体部には固定側に取り付ける固定手段とアンテナを保持するための保持手段とが設けられ、前記保持手段に保持されたアンテナの上から本体部に蓋体を被着することによりアンテナが支持されることを特徴とするアンテナ支持具。
【請求項２】
前記本体部の保持手段が、前記アンテナのアーム部を嵌め入れるために、前記本体部の側面部に設けられた凹部である請求項１記載のアンテナ支持具。
【請求項３】
前記固定側が、カメラを据え付ける三脚である請求項１記載のアンテナ支持具。
【発明の詳細な説明】
【技術分野】
【０００１】
本発明は、アマチュア無線機のアンテナを支持するためのアンテナ支持具に関するものである。
【背景技術】
【０００２】
一般的にハンディタイプのアマチュア無線機（以下ハンディトランシーバという）を用いて戸外で無線通信する場合、一方の手にハンディトランシーバを持ち、他方の手にアンテナを持って行なうことが多い。しかし、アンテナを片手に持った状態ではアンテナが動いてしまうために送受信が不安定となり、良好な無線通信を楽しむことができない。そこで、従来にあっては、特許文献１に記載のように、アンテナを動かさないようにするためのアンテナ支持具が知られている。
【０００３】
このアンテナ支持具１は、図６に示されるように、送受信者の肩部２に着脱可能に装着できる支持具本体３を備えており、その支持具本体３にアンテナ４の取付部５が設けられたものであり、送受信者がいかなる方向を向いていても効率よく送受信できるように構成されている。
【０００４】
しかしながら、上記従来のアンテナ支持具１にあっては、ロッドアンテナのように指向性を持っていないアンテナの支持具としては有効であるものの、ヘンテナアンテナのように指向性を有しているアンテナの場合には、送受信者が電波の強い方向を向いたままで送受信せざるを得ないために、無線通信を行なっている間はその姿勢を保持しなければならず、現実的にはヘンテナアンテナのアンテナ支持具として利用することは難しかった。
【特許文献１】実開平５−８００４２号
【発明の開示】
【発明が解決しようとする課題】
【０００５】
そこで、本発明が解決しようとする課題は、ヘンテナアンテナのような指向性を持っているアンテナを簡易且つ確実に支持するためのアンテナ支持具を提供することである。
【課題を解決するための手段】
【０００６】
かかる目的を達成するために、本発明に係るアンテナ支持具は、ボックス状の本体部と、この本体部に被着される蓋体とを備え、前記本体部には固定側に取り付ける固定手段とアンテナを保持するための保持手段とが設けられ、前記保持手段にアンテナを保持させた後、本体部に蓋体を被着することによりアンテナが支持されることを特徴とする。
【発明の効果】
【０００７】
本発明は、上記の構成よりなるので、ヘンテナアンテナのように指向性を持つ場合でも、電波の強い方向に向けて簡易かつ確実に長時間支持することができる。
【発明を実施するための最良の形態】
【０００８】
以下、添付図面に基づいて、本発明に係るアンテナ支持具の実施形態を詳細に説明する。
図１乃至図３は、本発明に係るアンテナ支持具の第１の実施形態を示したものである。この実施形態に係るアンテナ支持具１０は、ボックス状の本体部１１と、この本体部１１に被着される蓋体１２とを備える。本体部１１は、四角形状の底面部１３とその周囲を取り囲む側面部１４ａ〜１４ｄとからなり、所定の深さを有するボックス形状となっている。前記底面部１３の内側にはナット１９が溶接されており、このナット１９がアンテナ支持具１０を固定する三脚１８（固定側）に固定される。また、相対向する一対の側面部１４ａ，１４ｃにはヘンテナアンテナ１５のアーム部１６を嵌め入れるための凹部１７が同一軸上に設けられ、さらに、前記凹部１７とは異なる一対の側面部１４ｂ，１４ｄの内側には前記蓋体１２をボルト２０によって固定するためのナット２１が溶接されている。前記凹部１７の形状はヘンテナアンテナ１５のアーム部１６に対応していることが望ましく、本実施形態の場合には角形である。また、前記三脚１８にはカメラ据え付け用として市販されているものを利用することができ、三脚１８の上部の載置台２２から突出するボルト２７を前記底面部１３のナット１９にねじ込むことで本体部１１を固定することができる。
【０００９】
一方、蓋体１２は、前記本体部１１の底面部１３の大きさに対応した四角形状の上面部２３と、その周囲を取り囲む短寸の側面部２４とからなり、側面部２４が本体部１１の側面１４ａ〜１４ｂの外側に嵌り込むことで本体部１１に被着される。前記側面部２４には前記本体部１１の側面部１４ｂ，１４ｄに溶接されたナット１９の位置に対応してネジ挿通孔２５が設けられている。前記側面部２４の高さ寸法は、前記凹部１７にヘンテナアンテナ１５のアーム部１６を嵌め入れ、さらにその上から蓋体１２を被せた時に、側面部２４の下端部２６がアーム部１６の上面に接触する程度が望ましい。このように側面部２４の高さを調整することで、又は凹部１７の深さを調整することで、アーム部１６を本体部１１と蓋体１２とで動かないようしっかりと支持することができる。
【００１０】
次に、上記構成からなるアンテナ支持具１０でヘンテナアンテナ１５を支持する場合の手順などについて説明する。先ず、平らな場所を見つけて三脚１８を真っ直ぐに立てる。次いで、三脚１８の載置台２２の上にアンテナ支持具１０の本体部１１を載せ、載置台２２から突出するボルト２７を本体部１１の底面部１３に溶接されているナット１９にねじ込んで本体部１１を固定する。次に、本体部１１の側面部１４ａ，１４ｂに設けられた凹部１７にヘンテナアンテナ１５のアーム部１６を嵌め入れる。この場合に、図１に示したように、予めアーム部１６に導波器２８ａ、放射器２８ｂ及び反射器２８ｃからなる素子が取り付けてあってもよいし、又はアーム部１６を先に取り付けてから前記素子を組み付けるようにしてもよい。次に、前記アーム部１６を凹部１７に嵌め入れた後に蓋体１２を被せて本体部１１の上部開口を閉塞する。このとき、上述本体部１１に被せた蓋体１２の周面部２４の下端部２６でヘンテナアンテナ１５のアーム部１６を押さえることができるので、アーム部１６がしっかりと固定されることになる。なお、蓋体１２はボルト２０によって本体部１１のナット２１に固定される。
【００１１】
このようにして三脚１８にアンテナ支持具１０を固定したのち、三脚１８に備え付けの調整レバー（図示せず）によって載置台２２の上下角度や回転方向を変えて、ヘンテナアンテナ１５の角度や方向を調整する。この調整は指向性を有するヘンテナアンテナ１５を電波の最も強い方向に向けてから無線通信を行うためのものであり、角度や方向が定まったら、調整レバーを回して載置台２２を固定する。この調整はハンディトランシーバで交信する相手と無線通信をしながら最適な位置を探すことで行なわれる。
【００１２】
なお、上記の実施形態では、固定側としてカメラの三脚１８を利用した例について説明したが、例えば図４及び図５に示したような固定されたマスト３０を利用して固定することもできる。この場合には本体部１１の底面部１３の外側にジグザグ状の係合部３２が形成されたブラケット３１を一体に設けておき、このブラケット３１とＵ字ボルト３３とでマスト３０を挟み込むようにして本体部１１を固定することができる。Ｕ字ボルト３３の先端は本体部１１の底面部１３の内側に溶接されたナット３４に固定される。なお、本体部１１と蓋体１２との構成ないしヘンテナアンテナ１５の取り付け方法は前記実施形態と同様なので、ここでは詳細な説明を省略する。
【００１３】
本発明では、本体部１１および蓋体１２の構成が上記実施形態で示されたものに限定されないのは勿論である。また、本発明のアンテナ支持具１０によって支持されるアンテナも上記のヘンテナアンテナ１５に限定されないのは勿論である。
【図面の簡単な説明】
【００１４】
【図１】本発明の第１実施形態に係るアンテナ支持具の分解斜視図である。
【図２】第１実施形態に係るアンテナ支持具によってアンテナを支持した時の斜視図である。
【図３】図２におけるＡ−Ａ線断面図である。
【図４】第２実施形態に係るアンテナ支持具によってアンテナを支持した時の斜視図である。
【図５】図４におけるＢ−Ｂ線断面図である。
【図６】従来のアンテナ支持具の一例を示す説明図である。
【符号の説明】
【００１５】
１０  アンテナ支持具
１１  本体部
１２  蓋体
１５  ヘンテナアンテナ
１６  アーム部
１７  凹部（保持手段）
１８  三脚
１９  ナット（固定手段）
【図１】
2006174362.tif 000003
【図２】
2006174362.tif 000004
【図３】
2006174362.tif 000005
【図４】
2006174362.tif 000006
【図５】
2006174362.tif 000007
【図６】
2006174362.tif 000008